(57)【要約】【課題】  台紙に貼り付けられているラベルに内蔵されたＩＣタグから読み出された管理情報と台紙から剥がされたラベルに内蔵されたＩＣタグから読み出された管理情報とを識別して管理できるラベル管理システムを提供する。【解決手段】  ラベル管理システム１を、台紙１０から剥がして管理対象物３０に貼付することが可能なシール状のラベル１１と、このラベル１１に埋め込まれ、管理対象物３０の管理情報が記憶されるＩＣチップ１３、ラベル１１が台紙１０から剥がされたか否かの貼付情報を検出する状態検出部１５、並びに、ＩＣチップ１３に記憶された管理情報および状態検出部１５により検出された貼付情報を通信可能なアンテナ部１４を有するＩＣタグ１２、ＩＣチップ１３に記憶された管理情報および状態検出部１５により検出された貼付情報を読み出すリーダライタ２１と、このリーダライタ２１により読み出された管理情報および貼付情報を処理する制御部２２とから構成する。【選択図】  図１
2006059080.tif 000002
【特許請求の範囲】
【請求項１】
台紙から剥がして管理対象物に貼付することが可能なシール状のラベルと、
前記ラベルに埋め込まれ、前記管理対象物の管理情報が記憶される記憶手段、前記ラベルが前記台紙から剥がされたか否かの貼付情報を検出する状態検出手段、並びに、前記記憶手段に記憶された前記管理情報および前記状態検出手段により検出された前記貼付情報を通信可能な通信手段を有するＩＣタグと、
前記記憶手段に記憶された前記管理情報および前記状態検出手段により取得された前記貼付情報を前記通信手段と非接触で通信して読み出す情報読み出し手段と、
前記情報読み出し手段により読み出された前記管理情報および前記貼付情報を処理する処理手段とから構成されることを特徴とするラベル管理システム。
【請求項２】
前記ＩＣタグが、
前記管理情報を記憶して前記管理情報の読み出しが可能なＩＣチップおよびアンテナ部と、
前記ＩＣチップに配線により接続された一組の端子部からなり、前記ＩＣチップおよび前記アンテナ部により前記端子部が導通しているか切断しているかの接続状態を取得可能な状態検出部とを有し、
前記ラベルが、
前記台紙に貼り付けられた状態で、前記一組の端子部が電気的に接続され、
前記台紙から剥がされた状態で、前記一組の端子部が電気的に切断されるように構成され、
前記貼付情報を、
前記一組の端子部の前記接続状態が電気的に接続されているときは、前記ラベルが前記台紙に貼り付けられた状態とし、
前記一組の端子部の前記接続状態が電気的に切断されているときは、前記ラベルが前記台紙から剥がされた状態とするように構成されたことを特徴とする請求項１に記載のラベル管理システム。
【請求項３】
前記ＩＣタグが、
前記管理情報を記憶して前記管理情報の読み出しが可能なＩＣチップおよびアンテナ部と、
前記ＩＣチップに配線により接続されて前記ラベルの接着面に露出した一組の端子部からなり、前記ＩＣチップおよび前記アンテナ部により前記端子部が導通しているか切断しているかの接続状態を取得可能な少なくとも２つの状態検出部とを有し
前記ラベルが、前記台紙に貼り付けられているときに、前記状態検出部の少なくとも一つが前記台紙に形成された導電性を有する導通部により電気的に接続され、残りの前記状態検出部が電気的に切断されているように構成され、
前記貼付情報を、
前記状態検出部の少なくとも一つの前記一組の端子部の前記接続状態が導通しており、かつ、残りの前記状態検出部の前記一組の端子部の前記接続状態が切断しているときは、前記ラベルが前記台紙に貼り付けられた状態とし、
前記状態検出部の前記一組の端子部の前記接続状態が全て導通しているときは、前記ラベルが前記台紙から剥がされて導電性材料に貼り付けられた状態とし、
前記状態検出部の前記一組の端子部の前記接続状態が全て切断しているときは、前記ラベルが前記台紙から剥がされて絶縁性材料に貼り付けられた状態とするように構成されたことを特徴とする請求項１に記載のラベル管理システム。
【発明の詳細な説明】
【技術分野】
【０００１】
本発明は、非接触で情報の読み書きが可能なＩＣタグが内蔵されたラベルにより管理対象物を管理するラベル管理システムであって、特に詳細には、このＩＣタグが内蔵されたラベルが管理対象に貼り付けられて使用されているか否かを識別して管理することが可能なラベル管理システムに関する。
【背景技術】
【０００２】
電磁波等を用いて非接触で情報の読み書きが可能なＲＦＩＤ(Radio Frequency IDification)タグ（以下、「ＩＣタグ」と呼ぶ）は、情報読み込み装置（以下、「リーダライタ」と称する）から照射した電波により読み取り可能な範囲にある全てのＩＣタグに記憶されている情報を一度に取得できるため、一つ一つ読み取り作業をしなければならないバーコードに比べて作業効率が高く、商品管理や在庫管理等に好適である（例えば、特許文献１参照）。
【０００３】
このようなＩＣタグは、例えば裏面に粘着剤が塗布されて商品等に貼付可能なシール（ラベル）に埋め込まれているものが知られている（例えば、特許文献２参照）。このようなシールに埋め込むことにより、シール表面には作業者が目視にて内容を確認でき、また、台紙から剥がして商品に貼付することができるため、簡単にこのＩＣタグを利用することができる。
【０００４】
【特許文献１】特開２００１−２２５９１５号公報
【０００５】
【特許文献２】特開２０００−３２１９８４号公報
【発明の開示】
【発明が解決しようとする課題】
【０００６】
しかしながら、このようなシール形式にしたラベルの場合、リーダライタの読み取り可能な範囲に、台紙から剥がされて商品に貼付されたラベル（ＩＣタグ）と、未だ台紙に貼り付けられたままの未使用のラベル（ＩＣタグ）とがある場合には、両方のＩＣタグの情報が読み出されてしまうため、商品に使用されているラベルに内蔵されたＩＣタグか否かが判別できず、これらを識別するために、例えば、ＩＣタグの内容を使用前と使用後で書き換えなければならず、作業効率が悪くなるという課題があった。
【０００７】
本発明はこのような課題に鑑みてなされたものであり、台紙に貼り付けられているラベルに内蔵されたＩＣタグから読み出された管理情報と台紙から剥がされたラベルに内蔵されたＩＣタグから読み出された管理情報とを識別して管理できるラベル管理システムを提供することを目的とする。
【課題を解決するための手段】
【０００８】
前記課題を解決するために、本発明に係るラベル管理システムは、台紙から剥がして管理対象物に貼付することが可能なシール状のラベルと、このラベルに埋め込まれ、管理対象物の管理情報が記憶される記憶手段（例えば、実施形態におけるＩＣチップ１３）、ラベルが台紙から剥がされたか否かの貼付情報を検出する状態検出手段（例えば、実施形態における状態検出部１５）、並びに、記憶手段に記憶された管理情報と状態検出手段により検出された貼付情報を通信可能な通信手段（例えば、実施形態におけるアンテナ部１４）を有するＩＣタグと、記憶手段に記憶された管理情報と状態検出手段により検出された貼付情報とを通信手段と非接触で通信して読み出す情報読み出し手段（例えば、実施形態におけるリーダライタ２１）と、情報読み出し手段により読み出された管理情報および貼付情報を処理する制御手段（例えば、実施形態における制御部２２）とから構成される。
【０００９】
このようなラベル管理システムにおいて、ＩＣタグが、管理情報を記憶してこの管理情報の読み出しが可能なＩＣチップおよびアンテナ部と、ＩＣチップに配線により接続された一組の端子部からなり、ＩＣチップおよびアンテナ部により端子部が導通しているか切断しているかの接続状態を取得可能な状態検出部とを有して構成することができる。そして、ラベルが、台紙に貼り付けられた状態で、一組の端子部が電気的に接続され、台紙から剥がされた状態で、一組の端子部が電気的に切断されるように構成することにより、貼付情報を、一組の端子部の接続状態が電気的に接続されているときは、ラベルが台紙に貼り付けられた状態とし、一組の端子部の接続状態が電気的に切断されているときは、ラベルが台紙から剥がされた状態とされる。
【００１０】
あるいは、このようなラベル管理システムにおいて、ＩＣタグが、管理情報を記憶してこの管理情報の読み出しが可能なＩＣチップおよびアンテナ部と、ＩＣチップに配線により接続されてラベルの接着面に露出した一組の端子部からなり、ＩＣチップおよびアンテナ部により端子部が導通しているか切断しているかの接続状態を取得可能な少なくとも２つの状態検出部とを有して構成することができる。そして、ラベルが、台紙に貼り付けられているときに、状態検出部の少なくとも一つが台紙に形成された導電性を有する導通部により電気的に接続され、残りの状態検出部が電気的に切断されるように構成することにより、貼付情報を、状態検出部の少なくとも一つの一組の端子部の接続状態が導通しており、かつ、残りの状態検出部の一組の端子の接続状態が切断しているときは、ラベルが台紙に貼り付けられた状態とし、状態検出部の一組の端子部の接続状態が全て導通しているときは、ラベルが台紙から剥がされて導電性材料に貼り付けられた状態とし、状態検出部の一組の端子部の接続状態が全て切断しているときは、ラベルが台紙から剥がされて絶縁性材料に貼り付けられた状態とされる。
【発明の効果】
【００１１】
本発明に係るラベル管理システムを以上のように構成すると、ＩＣタグから情報を読み出すことにより、そのＩＣタグが埋め込まれたラベルが台紙から剥がされているか否かの貼付情報を得られるので、この貼付情報によりそのラベルが使用されているか否かを判断することができる。そのため、ラベルが台紙から剥がされて対象物に貼り付けられたことをＩＣタグに記憶させる等の手順が不要となり、作業効率が向上する。
【００１２】
このように、ラベルが台紙から剥がされているか否かの貼付情報の取得手段として、ＩＣチップに配線により接続された端子部からなる状態検出部を設け、台紙にラベルが貼り付けられているときは端子部が導通しており、剥がされると切断されるように構成することにより、この端子部の導通状態により貼付情報を容易に取得できる。また、このＩＣタグは従来からあるリーダライタ（情報読み出し手段）で情報の読み書きが可能となるため、このラベル管理システムを容易に実現することができる。
【００１３】
また、状態検出部を複数設けるとともに、その端子部をラベルの粘着面に露出するように構成することにより、ラベルが台紙から剥がされているか否かの貼付情報が取得できるとともに、例えば、導電性部材にこのラベルが貼り付けられているときや絶縁線部材に貼り付けられているときの違いを取得することができ、より多くの情報を識別することができる。
【発明を実施するための最良の形態】
【００１４】
以下、本発明の好ましい実施形態について図面を参照して説明する。このラベル管理システム１は、図１に示すように、管理対象物３０に貼り付けられたラベル１１に埋め込まれたＩＣタグ１２と、このＩＣタグ１２と非接触（電磁波）により通信してこの管理対象物３０の管理情報等を読み書きする管理装置２０とから構成されるものである。以下に、２つの実施例について説明する。
【実施例１】
【００１５】
まず、第１実施例について、図１〜図３を用いて説明する。この第１実施例において、ＩＣタグ１２は、台紙１０に複数形成されたラベル１１の各々に埋め込まれており、このラベル１１は、台紙１０から剥がされて管理対象物３０に貼付可能に構成されている。ＩＣタグ１２は、管理対象物１０の管理情報を記憶するＩＣチップ１３と、このＩＣチップ１３に情報を書き込んだり、読み出したりするための電磁波を送受信するアンテナ部１４とを有している。また、このＩＣタグ１２は、ラベルの縁部に備えられ、ＩＣチップ１３に配線１７、１７により接続された一組の端子部１６，１６から構成される状態検出部１５を有している。
【００１６】
この状態検出部１５は、一組の端子部１６，１６が導通しているときにＩＣチップ１３に入力される信号を「０」とし、一組の端子部１６，１６が導通していないときにＩＣチップ１３に入力される信号を「１」とすると、この端子部１６，１６が導通されているか否かによって、情報を表すことができる。つまり、本実施例の状態検出部１５は、端子部１６，１６を導通させるか否かによって情報の書込みおよび読み出しが可能な簡便なＲＡＭを構成している。
【００１７】
本実施例においては、ラベル１１が台紙１０に貼り付けられているときは、図２（ａ）に示すように、その一組の端子部１６，１６が台紙１０側に形成された導通部１８と電気的に接続されている。すなわち、端子部１６，１６は導通している。一方、ラベル１１を台紙１０から剥がすと、図２（ｂ），（ｃ）に示すように端子部１６，１６は切断される。そのため、このように構成されたラベル１１をリーダライタに接近させることで、アンテナ部１４を介して無線で通信を行い、導通部１８の接触状態に応じた情報（このラベル１１が台紙１０に貼付されていて状態検出部１５からＩＣチップ１３に「０」の信号が出力されている状態、若しくは、剥がされて「１」の信号が出力されている状態であって、以降の説明では「貼付情報」と呼ぶ）を非接触で読み取ることができる。このように、特別のリーダライタを必要とせず、従来のＩＣタグに用いられるリーダライタを利用することができるため、利便性が大幅に向上する。
【００１８】
このような構成のＩＣタグ１３から情報を読み書きする管理装置２０は、ＩＣタグ１２と情報の送受信をするリーダライタ２１と、ＩＣタグ１２から読み出された貼付情報に基づいて制御を行い、例えば、表示部２３に読み出された管理情報を表示する制御部２２とから構成される。この管理装置２０は、ハンディターミナル等で構成される。
【００１９】
それでは、台紙１０に貼付された状態のラベル１１、若しくは、この台紙１０から剥がされて管理対象物３０に貼り付けられた状態のラベル１１から管理情報等を読み出す処理について説明する。なお、ＩＣタグ１２には、予め管理情報等（例えば、商品のシリアル番号等）が記録されているものとして説明を行う。
【００２０】
管理装置２０からＩＣタグ１２に記憶された管理情報の読み込み操作を行うと、制御部２２によりリーダライタ２１が制御されて電波を発射し、通信可能範囲にあるＩＣタグ１２と通信を行って管理情報および貼付情報が読み出される（Ｓ１００）。そして、制御部２２は、読み出された管理情報および貼付情報のうち、一つのＩＣタグ１２の情報を選択し（Ｓ１０１）、その貼付情報をチェックする（Ｓ１０２）。この貼付情報が「１」であれば、上述のようにそのラベル１１は台紙１０から剥がされており、管理対象物３０に貼付されているものであるので、制御部２２はその管理情報を処理して表示部２３に表示する（Ｓ１０３）。一方、貼付情報が「０」であれば、そのラベル１１は台紙１０に貼り付けられたまま、管理対象物３０には貼り付けられていないため、表示処理等は行わない。以上の処理（Ｓ１０１〜Ｓ１０３）を、読み込まれたＩＣタグ１２に対して繰り返し行う（Ｓ１０４）ことにより、読み込まれたＩＣタグ１２の管理情報のうち、管理対象物３０に貼り付けられたものだけを制御部２２で処理することができる。
【００２１】
なお、以上の説明では、管理対象物３０に貼り付けられたラベル１１のＩＣタグ１２に記憶された管理情報を表示するように構成した場合について説明したが、ＩＣタグ１２のうち管理対象物３０に貼り付けられたラベル１１のＩＣタグ１２に情報（例えば、在庫管理に用いた場合には、その管理対象部３０の入庫日時等）を書き込む場合も同様の処理で対応することができる。同様に、未使用のラベル１１に対して情報を読み書きする場合も同様である。
【実施例２】
【００２２】
以上の第１実施例では、状態検出部１５を１個設けて、この状態検出部１５を構成する一組の端子部１６，１６が導通しているか否かでラベル１１が台紙１０から剥がされて管理対象物３０に使用されているか否かを識別していたが、この状態検出部を複数設けることにより、より多くの情報（貼付情報）を取得することが可能である。以下、第２実施例として図４を用いて説明する。
【００２３】
この第２実施例においても、ＩＣタグ１１２は台紙１１０に形成されたラベル１１１に埋め込まれており、ＩＣチップ１１３とアンテナ部１１４とから構成される。そして、このＩＣチップ１１３には配線１１７ａ，１１７ｂにて接続された２個の端子部（第１端子部１１６ａと第２端子部１１６ｂ）を有する状態検出部１１５を有して構成されている。なお、この状態検出部１１５の端子部１１６ａ，１１６ｂも一組の端子から構成されており（図４においては一組の端子を一体に表現している）、これらの端子が導通している状態「０」と切断している状態「１」を取得可能に構成されている。この第１および第２端子部１１５ａ，１１５ｂは、図４（ｂ）に示すように、その表面がラベル１１１の粘着面１１１ａ側に露出するように構成されている。
【００２４】
一方、図４（ｃ）に示すように、台紙１１０の第１端子部１１６ａと対向する部分には導通部１１８が設けられており、このラベル１１１が台紙１１０に貼り付けられているときには、第１端子部１１６ａと導通部１１８とは当接し、第１端子部１１６ａを導通させるように構成されている。すなわち、第１端子部１１６ａからＩＣチップ１１３に「０」の信号が出力され、第２端子部１１６ｂからＩＣチップ１１３に「１」の信号が出力され、全体として「０１」の貼付情報が出力される。
【００２５】
このラベル１１１を、台紙１１０から剥がしたり、例えば、段ボール箱のような絶縁性材料３２に貼り付けると、第１および第２端子部１１６ａ，１１６ｂは切断されるため、「１１」の貼付情報がＩＣチップ１１３に出力される。また、金属板のような導電性材料３１にこのラベル１１１が貼り付けられると、第１および第２端子部１１６ａ，１１６ｂは導通するため、「００」の貼付情報がＩＣチップ１１３に出力される。
【００２６】
このように構成されたラベル１１１の使用方法としては、例えば、貼付情報が「０１」のときは、ラベル１１１が台紙１１０に貼り付けられていて未使用であると判断することができる。また、管理対象物３０のラベル１１１の貼付領域を金属板３１として構成することにより、貼付情報が「００」のときに、このラベル１１１は管理対象物３０に貼り付けられて使用されていると判断することができる。一方、管理対象物３０から剥がしたラベル１１１を絶縁性材料３２に貼り付けて管理することにより、貼付情報が「１１」のときに、そのラベル１１１は使用済みである、若しくは、管理対象物３０がラベル管理システム１の管理対象から除外されたと判断することができる。
【００２７】
以上のように、状態検出部１１５の第１および第２端子部１１６ａ，１１６ｂをラベル１１１の接着面１１１ａ側に露出するように構成することにより、このラベル１１１が貼り付けられている部材により複数の情報（図４のように２つの端子部１１６あ、１１６ｂからなる状態検出部１１５を設けた場合は３種類の情報）を取得することができるため、第１実施例で示した管理装置２０でこの貼付情報をＩＣチップ１１３から読み出すことにより、このラベル１１１が貼り付けられている部材でその状態を認識することができる。
【図面の簡単な説明】
【００２８】
【図１】本発明に係るラベル管理システムの構成を示す説明図である。
【図２】本発明の第１実施例に係るラベルの構成を示す図であり、（ａ）は、ラベルが台紙に貼り付けられている状態を示す図であり、（ｂ）はラベルが台紙から剥がされた状態を示す図であり、（ｃ）は（ｂ）の側面図である。
【図３】ＩＣタグを読み込む処理を示すフローチャートである。
【図４】本発明の第２実施例に係るラベルの構成を示す図であり、（ａ）は、ラベルの表面側から見た図であり、（ｂ）はラベルの裏面側（粘着面側）から見た図であり、（ｃ）はこのラベルが貼り付けられる材質の違いを説明するための図である。
【符号の説明】
【００２９】
１  ラベル管理システム
１０，１１０  台紙
１１、１１１  ラベル
１２，１１２  ＩＣタグ
１３、１１３  ＩＣチップ（記憶手段）
１４，１１４  アンテナ部（通信手段）
１５，１１５  状態検出部（状態検出手段）
１６，１１６ａ，１１６ｂ  端子部
１７，１１７ａ，１１７ｂ  配線
２１  リーダライタ（情報読み出し手段）
２２  制御部（制御手段）
３０  管理対象物
【図１】
2006059080.tif 000003
【図２】
2006059080.tif 000004
【図３】
2006059080.tif 000005
【図４】
2006059080.tif 000006